(57)【要約】【課題】防水性や防塵性を向上できる制御装置及び画像表示システムを提供すること。【解決手段】制御装置３は、入力操作が行われるキートップ８１〜８７と、キートップ８１〜８７に対向する基板表面６２に、キートップ８１〜８７が押されたことを検出するスイッチ素子６１を有する回路基板６と、スイッチ素子６１による検出結果に基づく信号を出力する装置本体４と、基板表面６２の略全域を覆い、基板表面６２とキートップ８１〜８７との間に配置される弾性部材７とを備える。【選択図】図４
2017010712.tif 000002
【特許請求の範囲】
【請求項１】
入力操作が行われるキートップと、
前記キートップに対向する基板表面に、前記キートップが押されたことを検出する検出部を有する回路基板と、
前記回路基板と接続され、かつ、前記検出部による検出結果に基づく信号を出力する装置本体と、
前記基板表面の略全域を覆い、前記基板表面と前記キートップとの間に配置される弾性部材と、を備えることを特徴とする制御装置。
【請求項２】
請求項１に記載の制御装置において、
前記弾性部材が前記装置本体の少なくとも一部を覆うことによって、前記回路基板及び前記装置本体のそれぞれの防水及び防塵が図られることを特徴とする制御装置。
【請求項３】
請求項２に記載の制御装置において、
前記装置本体は、前記回路基板に対して前記基板表面とは反対側に配置され、
前記装置本体は、前記装置本体が前記回路基板に対向する方向に対する直交方向に位置する側面部を有し、
前記弾性部材は、
前記基板表面を覆う第１弾性部と、
前記第１弾性部と一体的に形成され、前記側面部を覆う第２弾性部と、を有することを特徴とする制御装置。
【請求項４】
請求項３に記載の制御装置において、
前記第２弾性部の厚さ寸法は、前記第１弾性部の厚さ寸法よりも大きいことを特徴とする制御装置。
【請求項５】
請求項３又は請求項４に記載の制御装置において、
前記装置本体は、前記回路基板側に配置される防水シートを有することを特徴とする制御装置。
【請求項６】
請求項３から請求項５のいずれか一項に記載の制御装置において、
前記装置本体は、前記回路基板とは反対側に位置し、電池を収納する収納部を有し、
当該制御装置は、前記装置本体に着脱可能に取り付けられ、前記収納部を覆う電池カバーを備えることを特徴とする制御装置。
【請求項７】
請求項１から請求項６のいずれか一項に記載の制御装置において、
前記キートップは、前記弾性部材側に突出した突出部を有し、
前記弾性部材は、前記キートップ側に起立し、前記突出部が挿入される凹部が形成される起立部を有することを特徴とする制御装置。
【請求項８】
請求項１から請求項７のいずれか一項に記載の制御装置において、
前記弾性部材を挟んで前記回路基板とは反対側に配置され、前記キートップが内側に配置される開口部を有するカバー部材を備え、
前記弾性部材は、前記カバー部材側に突出し、前記カバー部材側から見て前記キートップを囲む枠形状を有する突出枠部を有し、
前記突出枠部における突出方向の先端は、前記カバー部材に密着していることを特徴とする制御装置。
【請求項９】
請求項１から請求項８のいずれか一項に記載の制御装置において、
前記弾性部材を挟んで前記回路基板とは反対側に配置され、前記キートップが内側に配置される開口部を有するカバー部材を備え、
前記カバー部材は、前記弾性部材側に突出した固定部を有し、
前記弾性部材は、前記固定部が挿通される孔部を有し、
前記孔部に挿通された前記固定部が前記装置本体に係合されることで、前記カバー部材及び前記弾性部材が前記装置本体に固定され、かつ、前記弾性部材と前記カバー部材とが密着することを特徴とする制御装置。
【請求項１０】
請求項１から請求項９のいずれか一項に記載の制御装置と、
使用者の頭部に応じた位置に装着され、前記制御装置から入力される前記信号に応じて動作する画像表示装置と、を備えることを特徴とする画像表示システム。
【発明の詳細な説明】
【技術分野】
【０００１】
本発明は、制御装置及び画像表示システムに関する。
【背景技術】
【０００２】
従来、使用者の頭部に装着される、ＨＭＤ（Head Mounted Display）と呼ばれる頭部装着型表示装置が知られている（例えば、特許文献１参照）。
この特許文献１に記載の頭部装着型表示装置は、使用者の頭部に装着された状態で使用者に虚像を視認させる眼鏡形状の画像表示部と、画像表示部の動作を制御する制御部とを備えている。これらのうち、制御部は、使用者の操作を受け付ける複数のキー（電源キー、方向キー及び決定キー等）を有する。そして、制御部は、これらキーの入力操作（押下操作）に応じた処理を実行する他、外部機器から取得された画像信号に応じた画像データに対して所定の画像処理を実行し、当該画像データに応じて表示部を駆動させる。
【先行技術文献】
【特許文献】
【０００３】
【特許文献１】特開２０１４−１６５８９３号公報
【発明の概要】
【発明が解決しようとする課題】
【０００４】
近年、頭部装着型表示装置は、用途が広がり、室内で映画等の観賞用に用いられるだけでなく、工場内や屋外にて作業する作業者にマニュアル等を提示する用途で用いられる場合がある。しかしながら、上記特許文献１に記載の頭部装着型表示装置の制御部は、防水や防塵の構造を有していない。このため、制御部に水や塵埃が付着すると、制御部内にこれらが入り込む可能性がある。
【０００５】
本発明は、上記課題の少なくとも一部を解決することを目的としたものであり、防水性や防塵性を向上できる制御装置及び画像表示システムを提供することを目的の１つとする。
【課題を解決するための手段】
【０００６】
本発明の第１態様に係る制御装置は、入力操作が行われるキートップと、前記キートップに対向する基板表面に、前記キートップが押されたことを検出する検出部を有する回路基板と、前記回路基板と接続され、かつ、前記検出部による検出結果に基づく信号を出力する装置本体と、前記基板表面の略全域を覆い、前記基板表面と前記キートップとの間に配置される弾性部材と、を備えることを特徴とする。
【０００７】
上記第１態様によれば、検出部を有する基板表面の略全域が、弾性部材によって覆われているので、制御装置に水や塵埃が付着した場合でも、基板表面に水や塵埃が付着することを抑制できる。従って、防水性や防塵性を向上できる。
【０００８】
上記第１態様では、前記弾性部材が前記装置本体の少なくとも一部を覆うことによって、前記回路基板及び前記装置本体のそれぞれの防水及び防塵が図られることが好ましい。
上記第１態様によれば、弾性部材によって、回路基板だけでなく、装置本体に水や塵埃が付着することを抑制できる。
【０００９】
上記第１態様では、前記装置本体は、前記回路基板に対して前記基板表面とは反対側に配置され、前記装置本体は、前記装置本体が前記回路基板に対向する方向に対する直交方向に位置する側面部を有し、前記弾性部材は、前記基板表面を覆う第１弾性部と、前記第１弾性部と一体的に形成され、前記側面部を覆う第２弾性部と、を有することが好ましい。
【００１０】
上記第１態様によれば、装置本体の側面部が、弾性部材の第２弾性部によって覆われているので、側面部に水や塵埃が直接付着することを抑制でき、当該側面部を介して装置本体の内部に水や塵埃が入り込むことを抑制できる。また、第２弾性部により、側面部側からの装置本体への衝撃を緩和でき、耐衝撃性を向上できる。
また、第２弾性部は、基板表面を覆う第１弾性部と一体的に形成されているため、第１弾性部と第２弾性部とが別の部品で構成されている場合と比べて、部品点数を少なくできる。また、第１弾性部と第２弾性部との境界から水や塵埃が入り込むこともない。
【００１１】
上記第１態様では、前記第２弾性部の厚さ寸法は、前記第１弾性部の厚さ寸法よりも大きいことが好ましい。
上記第１態様によれば、制御装置の厚さ寸法（装置本体と回路基板とが対向する方向の寸法）の増大を抑制しつつ、装置本体への側面部側からの衝撃に対する耐衝撃性を十分に確保できる。
【００１２】
上記第１態様では、前記装置本体は、前記回路基板側に配置される防水シートを有することが好ましい。
上記第１態様によれば、装置本体において回路基板と対向する側から当該装置本体の内部に水や塵埃が入り込むことを抑制できる。従って、装置本体内に位置する制御基板等を保護できる。
【００１３】
上記第１態様では、前記装置本体は、前記回路基板とは反対側に位置し、電池を収納する収納部を有し、当該制御装置は、前記装置本体に着脱可能に取り付けられ、前記収納部を覆う電池カバーを備えることが好ましい。
上記第１態様によれば、収納部に収納された電池を保護できる。なお、電池カバーと装置本体との接触面にゴム等の弾性体が配置されていれば、収納部内に水や塵埃が入り込むことを抑制できる。
【００１４】
上記第１態様では、前記キートップは、前記弾性部材側に突出した突出部を有し、前記弾性部材は、前記キートップ側に起立し、前記突出部が挿入される凹部が形成される起立部を有することが好ましい。
上記第１態様によれば、キートップの突出部を弾性部材の凹部に挿入することにより、当該キートップを弾性部材によって支持できる。これによれば、キートップを支持する部品を別途設ける場合と比べて、部品点数を少なくできる他、キートップを弾性部材に簡易に取り付けることができる。
【００１５】
上記第１態様では、前記弾性部材を挟んで前記回路基板とは反対側に配置され、前記キートップが内側に配置される開口部を有するカバー部材を備え、前記弾性部材は、前記カバー部材側に突出し、前記カバー部材側から見て前記キートップを囲む枠形状を有する突出枠部を有し、前記突出枠部における突出方向の先端は、前記カバー部材に密着していることが好ましい。
【００１６】
上記第１態様によれば、キートップと開口部との間から侵入する水や塵埃が、弾性部材の表面を伝って、突出枠部の内側から外側に移動することを防止できる。このため、当該水や塵埃が、弾性部材における突出枠部の外側に形成された孔部（例えば弾性部材と回路基板等とを固定する固定部材が挿通される孔部）から回路基板に付着することを抑制できる。
また、カバー部材によって、外部から与えられる衝撃から基板表面を保護できる。
【００１７】
上記第１態様では、前記弾性部材を挟んで前記回路基板とは反対側に配置され、前記キートップが内側に配置される開口部を有するカバー部材を備え、前記カバー部材は、前記弾性部材側に突出した固定部を有し、前記弾性部材は、前記固定部が挿通される孔部を有し、前記孔部に挿通された前記固定部が前記装置本体に係合されることで、前記カバー部材及び前記弾性部材が前記装置本体に固定され、かつ、前記弾性部材と前記カバー部材とが密着することが好ましい。
上記第１態様によれば、カバー部材及び弾性部材を容易に装置本体に固定できる。また、弾性部材とカバー部材とが密着されるため、弾性部材とカバー部材との間から水や塵埃が侵入することを抑制できる。
【００１８】
本発明の第２態様に係る画像表示システムは、上記制御装置と、使用者の頭部に応じた位置に装着され、前記制御装置から入力される前記信号に応じて動作する画像表示装置と、を備えることを特徴とする。
なお、画像表示装置が装着される頭部の部位としては、前額部、側頭部、後頭部及び頭頂部を含む頭部の上部を例示できる。この際、使用者がヘルメットや帽子等を装着している場合には、当該ヘルメットや帽子等において上記上部に応じた位置とすることができる。すなわち、使用者の頭部に応じた位置に画像表示装置が配置されていれば、頭部に直接装着されてもよく、頭部と画像表示装置との間にヘルメットや帽子等の構成が介在していてもよい。
上記第２態様によれば、上記第１態様に係る制御装置と同様の効果を奏することができる。
【図面の簡単な説明】
【００１９】
【図１】本発明の一実施形態に係る画像表示システムを示す図。
【図２】上記実施形態における制御装置を正面側から見た斜視図。
【図３】上記実施形態における制御装置を背面側から見た斜視図。
【図４】上記実施形態における制御装置を正面側から見た分解斜視図。
【図５】上記実施形態における制御装置を背面側から見た分解斜視図。
【図６】上記実施形態における制御装置を右側面側から見た断面図。
【図７】上記実施形態における制御装置を底面側から見た断面図。
【図８】図６におけるキートップ付近の部分拡大図。
【発明を実施するための形態】
【００２０】
以下、本発明の一実施形態について、図面に基づいて説明する。
［画像表示システムの構成］
図１は、本実施形態に係る画像表示システム１の構成を示す図である。
本実施形態に係る画像表示システム１は、画像表示装置２及び制御装置３を備える。そして、画像表示システム１は、制御装置３から送信される制御信号（操作信号及び画像信号を含む）に応じて画像表示装置２が動作することにより、当該画像表示装置２を装着した使用者に虚像を視認させるものである。
以下、各構成について詳述する。
【００２１】
［画像表示装置の構成］
電子機器としての画像表示装置２は、使用者の頭部やヘルメット等に装着されて使用されるＨＭＤ（Head Mounted Display）として構成されている。このような画像表示装置２は、使用者の頭部やヘルメット等における頭部に応じた位置（具体的には、頭部における上部）に装着されるヘッドバンド部２１と、上記画像を虚像として使用者に視認させる表示部２２と、ヘッドバンド部２１及び表示部２２を接続するアーム部２３と、を備える。
これらのうち、表示部２２は、ケーブルＣＢ１を介して制御装置３からヘッドバンド部２１に送信される画像信号に応じた画像光（当該画像信号に応じた画像を構成する光）を使用者の眼に入射させて、当該画像光により構成される画像を虚像として視認させる。また、表示部２２は、外光を透過させて、使用者によって外界像を観察可能に構成されている。すなわち、画像表示装置２は、シースルー型のＨＭＤとして構成されている。
【００２２】
［制御装置の構成］
図２は、制御装置３を正面側から見た斜視図であり、図３は、制御装置３を背面側から見た斜視図である。また、図４は、制御装置３を正面側から見た分解斜視図であり、図５は、制御装置３を背面側から見た分解斜視図である。
制御装置３は、図２〜図５に示すように、略直方体形状を有する。制御装置３は、キートップ８１〜８７を有する正面３Ａと、正面３Ａとは反対側の背面３Ｂとを有する。さらに、制御装置３は、正面３Ａおよび背面３Ｂと直交し、ケーブルＣＢ１が延出する天面３Ｃと、天面３Ｃとは反対側の底面３Ｄとを有する。さらに、制御装置３は、正面３Ａ、背面３Ｂ、天面３Ｃ、底面３Ｄと直交し、かつ、制御装置３を天面３Ｃが上となるように配置して背面３Ｂ側から見たとき、右側に位置する右側面３Ｅと、右側面３Ｅと反対側の左側面３Ｆとを有する。
なお、以下の説明では、制御装置３の背面３Ｂから正面３Ａに向かう方向をＺ方向とし、制御装置３の右側面３Ｅから左側面３Ｆに向かう方向をＸ方向とし、制御装置３の底面３Ｄから天面３Ｃに向かう方向をＹ方向とする。
【００２３】
制御装置３は、図２〜図５に示すように、ケーブルＣＢ１と、装置本体４と、電池カバー５と、スイッチ素子６１を有する回路基板６と、装置本体４及び回路基板６を覆う弾性部材７と、キートップ８１〜８７と、カバー部材９とを有する。
【００２４】
［装置本体の構成］
装置本体４は、Ｙ方向側の面においてケーブルＣＢ１と接続し、ケーブルＣＢ１を介して画像表示装置２の動作を制御する。
装置本体４は、筐体４１と、制御回路が実装された制御基板４５と、リチウムイオン電池等の２つの二次電池４２Ａ，４２Ｂと、防水シート４３と、係合爪４４Ａ，４４Ｂと、マイク４６と、ＡＣアダプターのケーブルＣＢ２と接続可能な接続部４７とを有する。
【００２５】
筐体４１は、制御基板４５を内蔵する。また、筐体４１は、Ｚ方向とは反対側に開口した収納部４１１，４１２を有し、当該収納部４１１，４１２に二次電池４２Ａ，４２Ｂを収納している。当該収納部４１１，４１２は、Ｙ方向に沿って並んで位置している。また、収納部４１１，４１２は、Ｘ方向の端部に、二次電池４２Ａ，４２Ｂと係合し、当該二次電池４２Ａ，４２Ｂを固定する電池係合部４１１Ａ，４１１Ｂを有している。
また、筐体４１は、Ｙ方向の端部のＺ方向とは反対側、及び、Ｙ方向とは反対方向の端部のＺ方向とは反対側に、電池カバー５の後述する係合部５２，５３と係合する係合部４１３，４１４を有している。
【００２６】
制御基板４５は、キートップ８１〜８７の入力操作に応じて回路基板６から出力される後述する検出信号に基づいて、操作信号や画像情報を含む制御信号を、ケーブルＣＢ１を介して画像表示装置２に送信し、当該画像表示装置２の動作を制御する。ここで、制御信号は、本発明の検出部による検出結果に基づく信号に相当する。
制御基板４５は、回路基板６と接続されるコネクター４５１を有する。そして、回路基板６から出力される検出信号は、当該コネクター４５１を介して制御基板４５に入力される。
また、制御基板４５は、二次電池４２Ａ，４２Ｂに蓄積された電力を、ケーブルＣＢ１を介して画像表示装置２に供給する。
また、制御基板４５は、接続部４７を介してＡＣアダプターから供給される電力によって二次電池４２Ａ，４２Ｂを充電する。
【００２７】
係合爪４４Ａ、４４Ｂは、電池カバー５の後述する係合溝５１Ａ，５１Ｂと係合し、電池カバー５を筐体４１に固定させる。
係合爪４４Ａ，４４Ｂは、筐体４１のＸ方向側の面及びＸ方向とは反対側の面にそれぞれ回動自在に取り付けられ、使用者によって操作される。係合爪４４Ａ，４４Ｂは、使用者が操作し易いように、Ｚ方向に沿った方向から見て、筐体４１に対して外側に突出している。
なお、図２、図３では、係合爪４４Ａが開き、係合溝５１Ａと係合していない状態が示されているが、制御装置３が使用される際には、係合爪４４Ａは、係合爪４４Ｂと同様に閉じて係合溝５１Ａに係合する。
【００２８】
防水シート４３は、筐体４１のＺ方向側の面を覆い、筐体４１に密着して筐体４１内に水や塵埃が入り込むことを防止する。防水シート４３は、例えばゴム等の弾性体で構成されている。また、防水シート４３は、制御基板４５のコネクター４５１を挿通させる挿通孔４３１を有している。
なお、マイク４６及び接続部４７は、装置本体４のＹ方向側の面に設けられている。
【００２９】
［電池カバーの構成］
電池カバー５は、装置本体４のＺ方向とは反対側の面（装置裏面）を覆い、装置本体４に着脱可能に取り付けられている。すなわち、電池カバー５は、装置本体４の二次電池４２Ａ，４２Ｂを収納する収納部４１１，４１２を覆い、二次電池４２Ａ，４２Ｂを保護する。
電池カバー５は、筐体４１の係合部４１３，４１４と係合する係合部５２，５３と、係合爪４４Ａ，４４Ｂと係合する係合溝５１Ａ，５１Ｂを有している。係合部５２，５３は、Ｙ方向の端部及びＹ方向とは反対方向の端部に位置している。係合溝５１Ａ，５１Ｂは、Ｘ方向の端部及びＸ方向とは反対方向の端部に位置している。
係合部５２，５３と係合部４１３，４１４とが係合し、係合溝５１Ａ，５１Ｂに係合爪４４Ａ，４４Ｂが係合することで、電池カバー５は、装置本体４に固定される。
なお、電池カバー５は、装置本体４との接触面に、上記収納部４１１，４１２内に水や塵埃が入り込むことを防止するゴム等の弾性体５４（シール部材）を有している。
【００３０】
［回路基板］
回路基板６は、キートップ８１〜８７が押されたことを検出し、検出信号を装置本体４に出力する。
回路基板６は、装置本体４のＺ方向側の面（装置表面）、すなわち、防水シート４３のＺ方向側の面を覆う。回路基板６は、Ｚ方向側の面である基板表面６２に、本発明の検出部としてのスイッチ素子６１を複数有している。スイッチ素子６１には、本実施形態では、メンブレンスイッチが用いられている。スイッチ素子６１は、キートップ８１〜８７に対応した位置に配置され、キートップ８１〜８７が押されると、弾性部材７を介してキートップ８１〜８７に押圧され、スイッチ状態がオフ状態からオン状態に変化する。これにより、スイッチ素子６１は、キートップ８１〜８７が押されたことを検出する。そして、回路基板６は、スイッチ素子６１が、キートップ８１〜８７のいずれかが押されたことを検出すると、検出結果である検出信号を、装置本体４の制御基板４５にコネクター４５１を介して出力する。
【００３１】
［弾性部材］
弾性部材７は、ゴム等で構成され、装置本体４の側面部４１５（Ｘ方向側の面、Ｘ方向とは反対側の面、Ｙ方向側の面、Ｙ方向とは反対側の面）、及び、回路基板６の基板表面６２を覆い、装置本体４及び回路基板６に水や塵埃が付着することを防止する。
弾性部材７は、Ｚ方向側及びＺ方向とは反対側に開口を有する筒状の側壁部７１（第２弾性部）と、側壁部７１のＺ方向側の開口を覆い、側壁部７１と一体的に形成された正面部７２（第１弾性部）とを有する。
【００３２】
側壁部７１は、装置本体４の側面部４１５、電池カバー５及び回路基板６の外周を覆い、当該側面部４１５及び外周に密着している。
側壁部７１は、外周に沿って形成された溝部７１１を有している。また、側壁部７１は、Ｙ方向側の面に開口部７１２，７１３，７１４を有し、Ｘ方向側の面及びＸ方向とは反対側の面に、切欠き部７１５Ａ，７１５Ｂを有している。
溝部７１１には、ケーブルＣＢ１またはケーブルＣＢ２を巻きつけることができる。また、使用者は、制御装置３を持つ際、溝部７１１に指等を引っ掛けることができるため、制御装置３を容易に把持できる。
開口部７１２は、ケーブルＣＢ１を挿通させる。開口部７１３は、装置本体４が有するマイク４６を側壁部７１から露出させる。開口部７１４は、装置本体４が有する接続部４７を挿通させる。切欠き部７１５Ａ，７１５Ｂは、装置本体４が有する係合爪４４Ａ，４４Ｂを挿通させる。
【００３３】
図６は、制御装置３を、右側面３Ｅ側から見た断面図であり、図７は、制御装置３を底面３Ｄ側から見た断面図である。
側壁部７１は、図６、図７に示すように、厚さ寸法が、正面部７２の厚さ寸法よりも大きく形成されている。これにより、制御装置３のＺ方向に沿った方向の厚さ寸法の増大を抑制しつつ、装置本体４への側面部４１５側からの衝撃に対する耐衝撃性を十分に確保できる。
また、側壁部７１のＺ方向の端部７１６は、正面部７２に対してＺ方向側に位置している。この端部７１６は、正面部７２のＺ方向側の面を覆う後述するカバー部材９の外周に密着している。これにより、弾性部材７とカバー部材９との間に、水や塵埃が入り込むことを防止している。また、カバー部材９の外周を外部から与えられる衝撃から保護している。
【００３４】
図２〜図５に示すように、正面部７２は、回路基板６の基板表面６２の略全域を覆う。また、正面部７２は、Ｚ方向側に起立した複数の起立部７２１と、Ｚ方向側に延出した突出枠部７２２及び突出外周枠部７２４と、複数の孔部７２３とを有する。
起立部７２１は、キートップ８１〜８７を支持する。具体的には、起立部７２１は、円柱形状を有し、キートップ８１〜８７に対応して位置している。起立部７２１は、図６、図７に示すように、Ｚ方向側に開口した凹部７２１Ａを有し、当該凹部７２１Ａに、キートップ８１〜８７が有する後述する突出部が挿入されることで、キートップ８１〜８７を支持する。
孔部７２３は、正面部７２の外周側に形成され、カバー部材９が有する後述する固定部９３が挿通される。
突出枠部７２２は、キートップ８１〜８７とカバー部材９の後述する開口部９１との間から侵入する水や塵埃が、正面部７２やカバー部材９を伝って、上記孔部７２３から回路基板６に付着することを抑制する。突出枠部７２２は、Ｚ方向に沿った方向から見て、正面部７２の外周に沿った枠形状を有し、キートップ８１〜８７を囲み、かつ、孔部７２３の内側に形成されている。そして、突出枠部７２２における突出方向（Ｚ方向）の先端は、カバー部材９に密着している。これにより、キートップ８１〜８７と開口部９１との間から侵入する水や塵埃が、正面部７２やカバー部材９を伝って、突出枠部７２２の内側から外側に移動することを防止でき、上記水や塵埃が孔部７２３から回路基板６に付着することを抑制できる。
突出外周枠部７２４は、弾性部材７の端部７１６とカバー部材９の外周との間から侵入する水や塵埃が、正面部７２やカバー部材９を伝って、上記孔部７２３から回路基板６に付着することを抑制する。突出外周枠部７２４は、Ｚ方向に沿った方向から見て、正面部７２の外周に沿った枠形状を有し、突出枠部７２２の外側、かつ、孔部７２３の外側に形成されている。そして、突出外周枠部７２４における突出方向（Ｚ方向）の先端は、カバー部材９に密着している。これにより、弾性部材７の端部７１６とカバー部材９の外周との間から侵入する水や塵埃が、正面部７２やカバー部材９を伝って、突出外周枠部７２４の外側から内側に移動することを防止でき、上記水や塵埃が孔部７２３から回路基板６に付着することを抑制できる。
【００３５】
［カバー部材］
図２〜図５に示すように、カバー部材９は、外部から与えられる衝撃から、回路基板６の基板表面６２を保護する。カバー部材９は、プラスチック等の樹脂材料で構成され、弾性部材７の正面部７２のＺ方向側の面を覆っている。
また、カバー部材９は、キートップ８１〜８７がそれぞれ内側に配置される開口部９１と、外周側において弾性部材７の正面部７２側に突出した固定部９３とを有している。
固定部９３は、正面部７２が有する孔部７２３に挿通され、回路基板６を備える装置本体４に係合して、カバー部材９及び弾性部材７を当該装置本体４に固定する。
なお、図６、図７に示すように、カバー部材９の外周には、前述したように、弾性部材７の側壁部７１のＺ方向の端部７１６が密着している。ここで、カバー部材９のＺ方向側の外装面９２と、端部７１６のＺ方向側の端縁は、Ｚ方向に沿った方向において同じ位置にある。
【００３６】
［キートップ］
キートップ８１〜８７は、押下されることで、回路基板６のスイッチ素子６１を押圧し、スイッチ素子６１のスイッチ状態をオフ状態からオン状態に変化させる。
キートップ８１〜８７は、使用者の指等によって押される操作部と、スイッチ素子６１を押圧する突出部と、カバー部材９に係止する係止部とを有している。
キートップ８１〜８７は、同様の構成を有するため、ここでは、キートップ８１〜８７を代表して、キートップ８７について図面を用いて説明する。
【００３７】
図８は、図６におけるキートップ８７付近の部分拡大図である。
図８に示すように、キートップ８７は、Ｚ方向に沿った方向から見て略正方形状（図２参照）を有する操作部８７１と、操作部８７１のＺ方向とは反対側に突出した突出部８７２と、操作部８７１のＺ方向とは反対方向の端部の外周縁から外側に延出した係止部８７３とを有する。
【００３８】
操作部８７１は、カバー部材９の開口部９１内に位置している。操作部８７１のＺ方向側の操作面８７１Ａは、カバー部材９から露出し、使用者が指等によって触ることができるように構成されている。また、当該操作面８７１Ａは、カバー部材９の外装面９２に対して、Ｚ方向とは反対側に位置している。これにより、使用者の手などが外装面９２に触れた際に、意図せず操作面８７１Ａが押されることを抑制でき、キートップ８７の誤操作を防止できる。
【００３９】
突出部８７２は、弾性部材７の起立部７２１の凹部７２１Ａ内に挿入されている。これにより、キートップ８７は、弾性部材７によって支持される。操作部８７１が押されると、突出部８７２は、凹部７２１Ａの底部をＺ方向とは反対方向に押す。これにより、弾性部材７が撓み、撓んだ弾性部材７によってスイッチ素子６１が押圧され、スイッチ素子６１のスイッチ状態がオフ状態からオン状態に変化する。
係止部８７３は、Ｚ方向に沿った方向から見てカバー部材９と重なり、かつ、弾性部材７の正面部７２とカバー部材９の間に位置している。これにより、キートップ８１〜８７のＺ方向への移動が規制され、キートップ８１〜８７の脱落が防止される。
【００４０】
キートップ８６も、キートップ８７と同様の構成を有している。キートップ８１〜８５は、操作面の形状およびサイズが、キートップ８６，８７と異なるが、その他の構成は同様である。すなわち、キートップ８１，８２の操作面は略円形状を有し、キートップ８３，８５の操作面は略長方形状を有し、キートップ８４の操作面は略十字形状を有している。
このように、各キートップ８１〜８７の操作面の形状やサイズが異なることで、使用者は、キートップ８１〜８７を目視しなくても、キートップ８１〜８７に触れることで、キートップ８１〜８７を認識することができる。このため、制御装置３の操作性を向上できる。
なお、本実施形態では、例えば、キートップ８１は、電源キーを構成し、キートップ８４は、十字キー（方向キー及び決定キー）を構成している。そして、キートップ８４の操作面は、Ｙ方向側に、Ｚ方向に突出した突起部８４１を有している。この構成によれば、使用者は、制御装置３を目視しなくても、当該突起部８４１に触れることで、制御装置３の向きを認識できる。このため、キートップ８１〜８７をさらに認識しやすくできる。
【００４１】
なお、制御装置３は、例えば、使用者が着用する衣服等に固定されたケースに収納されて使用される。このケースには、例えば、排水用の孔などが設けられる。
【００４２】
［実施形態の効果］
以上説明した本実施形態に係る画像表示システム１によれば、以下の効果がある。
回路基板６の基板表面６２の略全域が、弾性部材７の正面部７２によって覆われているので、制御装置３に水や塵埃が付着した場合でも、当該基板表面６２に水や塵埃が付着することを抑制できる。従って、防水性や防塵性を向上できる。
【００４３】
装置本体４の側面部４１５が、弾性部材７の側壁部７１によって覆われているので、側面部４１５に水や塵埃が直接付着することを抑制でき、当該側面部４１５を介して装置本体４の内部に水や塵埃が入り込むことを抑制できる。また、側壁部７１により、側面部４１５側からの装置本体４への衝撃を緩和でき、耐衝撃性を向上できる。
また、側壁部７１は、正面部７２と一体的に形成されているため、正面部７２と側壁部７１とが別の部品で構成されている場合と比べて、部品点数を少なくできる。また、正面部７２と側壁部７１との境界から水や塵埃が入り込むこともない。また、弾性部材７を回路基板６が取り付けられた装置本体４に被せることで、簡単に弾性部材７を当該装置本体４に取り付けることができる。
また、側壁部７１の厚さ寸法は、正面部７２の厚さ寸法よりも大きいため、制御装置３の厚さ寸法（Ｚ方向に沿った方向の寸法）の増大を抑制しつつ、装置本体４への側面部４１５側からの衝撃に対する耐衝撃性を十分に確保できる。
【００４４】
装置本体４は、回路基板６側に配置された防水シート４３を有しているので、装置本体４において回路基板６と対向する側から当該装置本体４の内部に水や塵埃が入り込むことを抑制できる。従って、装置本体４内に位置する制御基板４５等を保護できる。
また、装置本体４の二次電池４２Ａ，４２Ｂを収納する収納部４１１，４１２は、電池カバー５で覆われているため、当該二次電池４２Ａ，４２Ｂを保護できる。なお、電池カバー５と装置本体４との接触面に配置された弾性体５４により、収納部４１１，４１２内に水や塵埃が入り込むことを抑制できる。
【００４５】
キートップ８１〜８７の突出部を弾性部材７の凹部７２１Ａに挿入することにより、キートップ８１〜８７を弾性部材７によって支持できる。これによれば、キートップ８１〜８７を支持する部品を別途設ける場合と比べて、部品点数を少なくできる他、キートップ８１〜８７を弾性部材７に簡単に取り付けることができる。
【００４６】
弾性部材７の正面部７２が、突出枠部７２２を有しているため、キートップ８１〜８７とカバー部材９の開口部９１との間から侵入する水や塵埃が、正面部７２やカバー部材９を伝って、孔部７２３から回路基板６に付着することを抑制できる。
また、正面部７２が、突出外周枠部７２４を有しているため、弾性部材７の端部７１６とカバー部材９の外周との間から侵入する水や塵埃が、正面部７２やカバー部材９を伝って、孔部７２３から回路基板６に付着することを抑制できる。
【００４７】
［実施形態の変形］
本発明は前述の実施形態に限定されるものではなく、本発明の目的を達成できる範囲での変形、改良等は本発明に含まれるものである。
上記実施形態では、弾性部材７は、側壁部７１及び正面部７２を有し、回路基板６の基板表面６２、及び、装置本体４の側面部４１５を覆っている。しかしながら、本発明はこれに限らない。すなわち、弾性部材７は、正面部７２のみを有し、基板表面６２のみ覆う構成でもよい。
また、上記実施形態では、側壁部７１の厚さ寸法は、正面部７２の厚さ寸法よりも大きい。しかしながら、本発明はこれに限らない。例えば、側壁部７１の厚さ寸法は、正面部７２の厚さ寸法と同じであってもよい。
【００４８】
上記実施形態では、キートップ８１〜８７が押されたことを検出する検出部は、スイッチ素子６１で構成されている。しかしながら、本発明はこれに限らない。すなわち、検出部は、キートップ８１〜８７が押されたことを検出可能なセンサー等の他の部品で構成されていてもよい。
【００４９】
上記実施形態では、装置本体４は、回路基板６側に配置された防水シート４３を有している。しかしながら、本発明はこれに限らない。すなわち、防水シート４３はなくてもよい。
また、上記実施形態では、弾性部材７は、突出枠部７２２を有している。しかしながら、本発明はこれに限らない。例えば、弾性部材７の正面部７２が、孔部７２３のような孔を有していなければ、キートップ８１〜８７とカバー部材９の開口部９１との間から侵入した水や塵埃が回路基板６に付着する可能性は低いため、突出枠部７２２はなくてもよい。
【００５０】
上記実施形態では、装置本体４は、二次電池４２Ａ，４２Ｂを収納する収納部４１１，４１２と、当該二次電池４２Ａ，４２Ｂとを有し、制御装置３は、電池カバー５を有している。しかしながら、本発明はこれに限らない。例えば、制御装置３がケーブルＣＢ２を介してＡＣアダプターから供給される電力で直接駆動する場合には、収納部４１１，４１２、二次電池４２Ａ，４２Ｂ、電池カバー５はなくてもよい。
【００５１】
上記実施形態では、キートップ８１〜８７の突出部が、弾性部材７の凹部７２１Ａに挿入されることで、キートップ８１〜８７が弾性部材７によって支持されている。しかしながら、本発明はこれに限らない。例えば、キートップ８１〜８７は、別の構成によって弾性部材７に支持されていてもよいし、弾性部材７とは別の部品によって支持されていてもよい。
【００５２】
上記実施形態では、制御装置３はカバー部材９を有している。しかしながら、本発明はこれに限らない。例えば、弾性部材７の正面部７２の厚さ寸法を厚くすることで、制御装置３に対してＺ方向側から与えられる衝撃に対する耐衝撃性を確保できれば、カバー部材９はなくてもよい。
【００５３】
上記実施形態では、キートップ８１〜８７の操作面の形状およびサイズが互いに異なっているが、本発明はこれに限らない。例えば、当該操作面の形状およびサイズの少なくともいずれかが異なっていればよい。また、当該操作面の形状およびサイズはすべて同じであってもよい。この場合、操作面に触ることでキートップ８１〜８７を認識できるように、例えば、キートップ８１〜８７に対して選択的に、操作面の外周にＺ方向に突出した縁を設けるようにしてもよい。
【００５４】
上記実施形態では、制御装置３と画像表示装置２とがケーブルＣＢ１を介して接続されている。しかしながら、本発明はこれに限らない。すなわち、制御装置３は、無線により、制御信号を画像表示装置２に送信してもよい。
上記実施形態では、画像表示装置２は、ヘッドバンド部２１、表示部２２及びアーム部２３を備える構成とした。しかしながら、本発明はこれに限らない。例えば、画像表示装置は、使用者の眼に応じた位置に配置される表示部を支持するフレーム及びテンプルによって、使用者の耳や鼻に懸架される構成であってもよい。また、表示部は、使用者の両眼を覆うように配置される構成に限らず、片眼に応じた位置に配置される構成であってもよい。
【００５５】
上記実施形態では、画像表示装置として、使用者に虚像として視認される画像を表示する画像表示装置２を例示した。しかしながら、本発明はこれに限らない。例えば、使用者の両眼に応じた位置に、液晶パネルや有機ＥＬ（Electro-Luminescence）パネル等の表示手段を備える構成を採用してもよい。
また、画像表示装置として、レーザー網膜投影型のＨＭＤを用いることも可能である。例えば、表示部が、レーザー光源と、レーザー光源を使用者の眼に導く光学系とを備え、レーザー光を使用者の眼に入射させて網膜上を走査し、網膜に結像させることにより、使用者に画像を視認させるＨＭＤを採用してもよい。
【００５６】
上記実施形態では、制御装置３は、画像表示装置に操作信号を出力するものとした。しかしながら、本発明はこれに限らない。すなわち、他の電子機器に制御信号を出力する制御装置に対して、本発明を適用してもよい。
【００５７】
上記実施形態では、制御装置３は、回路基板６から出力される検出信号に基づいて、操作信号を画像表示装置２に送信している。しかしながら、本発明はこれに限らない。例えば、制御装置３が検出信号を画像表示装置２に送信し、画像表示装置２において検出信号に基づいた操作信号を生成するようにしてもよい。
【００５８】
上記実施形態では、本発明を制御装置３に適用した構成を例示しているが、本発明はこれに限らない。例えば、画像表示装置２のヘッドバンド部２１や表示部２２のケースにキートップが設けられ、当該ケース内にキートップが押されたことを検出する検出部を有する回路基板が設けられている場合に、当該画像表示装置２に本発明を適用し、防水や防塵を図ってもよい。
【００５９】
上記実施形態において、制御装置３が画像表示装置２に送信する制御信号には、例えば、外部のスマートフォンやＰＣ（Personal Computer）等から無線や有線で制御装置３が受信した操作信号や画像情報等が含まれていてもよい。
上記実施形態では、制御装置３は、略直方体形状を有している。しかしながら、本発明はこれに限らない。例えば、腕時計型や、楕円球型、円柱型等、様々な形状を有していてもよい。
【符号の説明】
【００６０】
１…画像表示システム、２…画像表示装置、３…制御装置、４…装置本体、４１…筐体、４１５…側面部、４３…防水シート、５…電池カバー、６…回路基板、６１…スイッチ素子（検出部）、６２…基板表面、７…弾性部材、７１…側壁部（第２弾性部）、７２…正面部（第１弾性部）、７２１…起立部、７２１Ａ…凹部、７２２…突出枠部、８１〜８７…キートップ、８７２…突出部、９…カバー部材。
【図１】
2017010712.tif 000003
【図２】
2017010712.tif 000004
【図３】
2017010712.tif 000005
【図４】
2017010712.tif 000006
【図５】
2017010712.tif 000007
【図６】
2017010712.tif 000008
【図７】
2017010712.tif 000009
【図８】
2017010712.tif 000010